(57)【要約】      （修正有）【課題】表示の切り換えおよび補修が容易であるとともに、美観および視認性を向上することができるセグメント表示器を提供する。【解決手段】セグメント表示器は、背板に設けられ、背板の表面２ａから裏面２ｅまで貫通する複数の貫通孔２ｆと、背板の裏面に設けられた複数の突起部と、セグメント板３の両端それぞれから延出するとともに、貫通孔に挿通されて背板の裏面側に延出した末端部それぞれに設けられた被係止部が突起部に係止される紐部材６と、を備える。紐部材は、弾性変形により伸長されると、セグメント板の表裏の手動反転を可能にさせ、弾性変形により縮小されると、セグメント板を背板の表面側に押さえ付ける付勢力を、セグメント板に作用させる。セグメント板には、セグメント板の両端に開口し、開口同士が連通する挿通孔が形成され、紐部材が、挿通孔の一端から他端まで挿通されるとともに、挿通孔の内壁に対して摺動することで伸縮可能である。【選択図】図２
0003192057.tif 000002
【実用新案登録請求の範囲】
【請求項１】
背板に、表裏で色の異なる複数のセグメント板がそれぞれ表裏の手動反転を可能にして取り付けられ、該複数のセグメント板それぞれの表裏の組み合わせによって情報を表示するセグメント表示器であって、
前記背板に設けられ、該背板の表面から裏面まで貫通する複数の貫通孔と、
前記背板の裏面に設けられた複数の突起部と、
前記セグメント板の両端それぞれから延出するとともに、前記貫通孔に挿通されて前記背板の裏面側に延出した末端部それぞれに設けられた被係止部が前記突起部に係止される紐部材と、
を備え、
前記紐部材は、弾性変形により伸長されると、前記セグメント板の表裏の手動反転を可能にさせ、弾性変形により縮小されると、該セグメント板を該背板の表面側に押さえ付ける向きの付勢力を、該セグメント板に作用させ、
前記セグメント板には、該セグメント板の両端に開口し、該開口同士が連通する挿通孔が形成され、前記紐部材が、該挿通孔の一端から他端まで挿通されるとともに、該挿通孔の内壁に対して摺動することで伸縮可能であることを特徴とするセグメント表示器。
【請求項２】
前記セグメント板は、一端から他端まで延在する溝を少なくとも一方に有する２枚の板部材を、該溝を対向させた状態で張り合わせて形成され、該溝が前記挿通孔を構成することを特徴とする請求項１に記載のセグメント表示器。
【請求項３】
前記セグメント板と前記背板は面接触することを特徴とする請求項１または２に記載のセグメント表示器。
【考案の詳細な説明】
【技術分野】
【０００１】
本考案は、セグメントの色の組み合わせによって情報を表示するセグメント表示器に関する。
【背景技術】
【０００２】
デジタル時計などの数字表記には、アラビア数字の「８」を模した配置の７つのセグメントについて、それぞれのセグメントの発光状態をオンとオフで切り換え、０〜９の数字を表示する技術が用いられている。このようなセグメント表示器としては、電気的に発光状態を切り換える以外に、電気を用いずにセグメント形式の情報表示を行う表示器がある。
【０００３】
このような表示器では、セグメント形式の表示領域を形成する背板のうち、７つのセグメントに対応する位置それぞれにセグメント板が配されている。セグメント板の両端には、板厚方向にゴム紐を挿通するゴム孔が形成され、背板には、各セグメント板を配置したときに、ゴム孔に対向する位置に貫通孔が設けられている。そして、ゴム紐をゴム孔および貫通孔に挿通して、セグメント板が背板から滑り落ちないようにセグメント板を背板に配置している。表示する数字を切り換えるときは、ゴム紐を引き延ばしながらセグメント板を反転させる（例えば、特許文献１、２）。
【先行技術文献】
【特許文献】
【０００４】
【特許文献１】実用新案登録第３１４３３６３号公報
【特許文献２】実用新案登録第３１７２２８５号公報
【考案の概要】
【考案が解決しようとする課題】
【０００５】
上述した特許文献１の構成では、ゴム紐の長さが短いことから伸縮幅が小さく、セグメント板を背板からあまり離すことができないため、セグメント板を反転させ難い。また、特許文献２の構成では、１本のゴム紐で７つすべてのセグメント板を背板に配置していることから、ゴム紐の全長のうちの１か所でも切断すると、すべてのセグメント板を取り付けなおさなければならないなど、補修が困難であった。さらに、特許文献１、２のいずれの構成であっても、セグメント板の両端にゴム孔が設けられゴム紐が表側に露出するなど、本来、表示すべきセグメントの形状と部分的に異なったものとなってしまい、美観が損なわれるとともに、数字などの情報の視認性が低下してしまう。
【０００６】
本考案の目的は、表示の切り換えおよび補修が容易であるとともに、美観および視認性を向上することが可能なセグメント表示器を提供することである。
【課題を解決するための手段】
【０００７】
上記課題を解決するために、本考案のセグメント表示器は、背板に、表裏で色の異なる複数のセグメント板がそれぞれ表裏の手動反転を可能にして取り付けられ、複数のセグメント板それぞれの表裏の組み合わせによって情報を表示するセグメント表示器であって、背板に設けられ、背板の表面から裏面まで貫通する複数の貫通孔と、背板の裏面に設けられた複数の突起部と、セグメント板の両端それぞれから延出するとともに、貫通孔に挿通されて背板の裏面側に延出した末端部それぞれに設けられた被係止部が突起部に係止される紐部材と、を備え、紐部材は、弾性変形により伸長されると、セグメント板の表裏の手動反転を可能にさせ、弾性変形により縮小されると、セグメント板を背板の表面側に押さえ付ける向きの付勢力を、セグメント板に作用させ、セグメント板には、セグメント板の両端に開口し、開口同士が連通する挿通孔が形成され、紐部材が、挿通孔の一端から他端まで挿通されるとともに、挿通孔の内壁に対して摺動することで伸縮可能であることを特徴とする。
【０００８】
セグメント板は、一端から他端まで延在する溝を少なくとも一方に有する２枚の板部材を、溝を対向させた状態で張り合わせて形成され、溝が挿通孔を構成してもよい。
【０００９】
セグメント板と背板は面接触してもよい。
【考案の効果】
【００１０】
本考案によれば、表示の切り換えおよび補修が容易であるとともに、美観および視認性を向上することが可能となる。
【図面の簡単な説明】
【００１１】
【図１】セグメント表示器を説明するための説明図である。
【図２】セグメント表示器の右上部分の抽出図である。
【図３】セグメント表示器の裏側を説明するための説明図である。
【図４】セグメント板の製造工程を説明するための説明図である。
【図５】紐部材が挿通されたセグメント板の斜視図である。
【図６】セグメント板の反転の様子を説明するための説明図である。
【考案を実施するための形態】
【００１２】
以下に添付図面を参照しながら、本考案の好適な実施形態について詳細に説明する。かかる実施形態に示す寸法、材料、その他具体的な数値等は、考案の理解を容易とするための例示にすぎず、特に断る場合を除き、本考案を限定するものではない。なお、本明細書および図面において、実質的に同一の機能、構成を有する要素については、同一の符号を付することにより重複説明を省略し、また本考案に直接関係のない要素は図示を省略する。
【００１３】
図１は、セグメント表示器１を説明するための説明図であり、図１（ａ）には、セグメント表示器１の表側の斜視図を示し、図１（ｂ）には、図１（ａ）中、セグメント表示器１の左上部分を抽出して示す。
【００１４】
図１（ａ）に示すように、セグメント表示器１は、背板２にセグメント板３を取り付けて構成されている。背板２は、図１（ａ）中、上下方向の縦幅に対して横幅の方が長い板部材であって、背板２の表面２ａには、セグメント形式で数字を表示する表示領域２ｂが複数設けられている。表示領域２ｂは、背板２の表面２ａに配された仕切線２ｃによって、区画形成されている。仕切線２ｃは、例えば、黒色となっている。
【００１５】
表示領域２ｂは、背板２の横幅方向に３つずつ並設されるとともに、背板２の縦幅方向に２つずつ並設される。すなわち、表示領域２ｂは２行３列に配置されている。表示領域２ｂの行間に位置する仕切線２ｃ上には、表示目的に応じて、例えば、「１ＳＴ」「２ＮＤ」「ＴＯＴＡＬ」の文字が表記されている。
【００１６】
セグメント板３は、表裏で色が異なる板部材であって、図中、ハッチングで示す側の面の色は、背板２の表示領域２ｂと異なる色（視認し易い、例えば黄色）であって、白抜きで示す側の面の色は、背板２の表示領域２ｂと同色（例えば黒色）である。
【００１７】
セグメント板３は、表示領域２ｂそれぞれに複数配され、セグメント板３の配置は、セグメントによる数字の表示形式に対応しており、７つのセグメント板３ごとに、アラビア数字の「８」の形に配される。そして、各表示領域２ｂでは、１４枚のセグメント板３が２つの「８」の形に配されている。加えて、セグメント表示器１の右側の表示領域２ｂでは、２枚のセグメント板３がアラビア数字の「１」の形に（図１（ａ）中、上下方向に直列に）配されている。
【００１８】
また、背板２の左側にはスライド板４が設置されている。スライド板４には、表示目的に応じて、例えば、チーム名、団体名などの情報が表記されている。図１（ｂ）に示すように、背板２の表面２ａには、左端から右側に向かって延在するガイド溝２ｄが設けられている。ガイド溝２ｄは、背板２の表面２ａの上下にそれぞれ設けられ、２つのガイド溝２ｄが対向配置されている。
【００１９】
スライド板４は、上下２つのガイド溝２ｄに、表面２ａの左端から右側に向かって嵌入されており、ガイド溝２ｄを摺動することで、背板２から着脱自在となっている。そして、予め、表記の異なる複数のスライド板４が用意されており、スライド板４を入れ換えることで、チーム名などの切り換えが容易に可能となっている。
【００２０】
図２は、セグメント表示器１の右上部分の抽出図であり、図２（ａ）には、セグメント板３が反転する前の様子を示し、図２（ｂ）には、セグメント板３が反転中の様子を示す。
【００２１】
図２に示すように、背板２の上側には、フック部材５が設けられている。フック部材５は、基端側が背板２の裏面２ｅに固定されるとともに、一部が背板２から、図２（ａ）中、上側に突出している。フック部材５の突出部位は曲面状に婉曲しており、先端部分が、図２（ａ）中、斜め下方に向かって延在している。
【００２２】
フック部材５を、棒やフェンス上端などの支持器具Ｓに掛止することで、セグメント表示器１が支持器具Ｓに対して固定されるので、セグメント表示器１を安定して設置することが可能となる。
【００２３】
また、図２に示すように、背板２のうち、セグメント板３それぞれの両端近傍には、表面２ａから裏面２ｅまで貫通する貫通孔２ｆが設けられており、セグメント板３の両端それぞれから延出する紐部材６が、貫通孔２ｆに挿通されている。紐部材６は、例えば、ゴム紐などで構成され、弾性変形が可能となっている。
【００２４】
図３は、セグメント表示器１の裏側を説明するための説明図であり、図３（ａ）には、セグメント表示器１の裏側を示し、図３（ｂ）には、図３（ａ）中、貫通孔２ｆの近傍を抽出して示す。
【００２５】
図３（ｂ）に示すように、背板２の裏面２ｅには、複数の突起部７が設けられている。突起部７は、例えば、ネジなどで構成され、背板２の裏面２ｅに形成された不図示のネジ孔に螺合しており、ネジ頭７ａ側が裏面２ｅから突出している。突起部７は、背板２の裏面２ｅにおいて、背板２の表面２ａに配されたセグメント板３の両端側それぞれに対応する位置に１つずつ配置されている。
【００２６】
紐部材６のうち、貫通孔２ｆから裏面２ｅ側に延出した部位の末端部には、環状の被係止部６ａが形成されている。被係止部６ａは、ネジ頭７ａが挿通され、ネジ頭７ａと背板２の裏面２ｅの間に係止される。
【００２７】
こうして、紐部材６は、両端が貫通孔２ｆに挿通され、それぞれの先端に形成された被係止部６ａが突起部７に係止される。その結果、セグメント板３は、落下することなく背板２の表面２ａ上に配置される。そして、図２（ｂ）に示すように、セグメント板３を引っ張ると紐部材６が弾性変形し、セグメント板３と背板２との間に、セグメント板３の短手方向の長さの半分以上の隙間を空ける。そして、セグメント板３を図２（ｂ）中、矢印で示すように回転させることで、セグメント板３の表裏を反転可能としており、セグメント板３は、表裏を反転した状態で元の配置に戻る。
【００２８】
このように、セグメント表示器１は、背板２に、表裏で色の異なる複数のセグメント板３がそれぞれ表裏の手動反転を可能にして取り付けられ、複数のセグメント板３それぞれの表裏の組み合わせによって、例えば競技の獲得点などの情報を表示する。
【００２９】
図４は、セグメント板３の製造工程を説明するための説明図である。図４（ａ）に示すように、セグメント板３は、２枚の板部材３ａから形成される。板部材３ａは、例えば、アクリル板などで構成されている。
【００３０】
図４（ｂ）には、図４（ａ）の破線部分の拡大図を示す。まず、図４（ｂ）に示すように、２枚の板部材３ａに、それぞれ、短手方向（図４（ａ）中、両矢印で示す）の中心部分に、板部材３ａの長手方向（図４（ａ）中、左右方向）に延在する溝３ｂを形成する。
【００３１】
そして、２枚の板部材３ａのうち、溝３ｂが形成された面３ｃ同士を対向させて張り合わせ、図４（ｃ）に示す状態とする。このとき、板部材３ａの側面のうち、２枚の板部材３ａの境界部分に液状の接着剤を塗布すると、接着剤は２枚の板部材３ａの面３ｃの間に浸透する。こうして、２枚の板部材３ａが接合される。
【００３２】
その後、図４（ｄ）に示すように、接合された板部材３ａのうち、図４（ｄ）中、破線で示す部位を切断すると、図４（ｅ）に示すように、セグメント板３が形成される。ここでは、２枚の板部材３ａで３枚のセグメント板３を製造するため、溝３ｂの形成工程、板部材３ａの接着工程などを、３枚のセグメント板３の分だけ同時に行えることから、製造コストを低減することが可能となる。
【００３３】
図４（ｆ）は、図４（ｅ）の破線部分の拡大図を示す。２枚の板部材３ａの段階で形成された溝３ｂは互いに対向し、図４（ｆ）に示すように、セグメント板３の両端に開口するとともに開口同士が連通し、セグメント板３の長手方向に貫通する挿通孔３ｄを形成している。この挿通孔３ｄに、図４（ｅ）に示す紐部材６が挿通される。その後、紐部材６の両端をそれぞれ湾曲した状態でかしめて固定し、被係止部６ａが形成される。
【００３４】
図５は、紐部材６が挿通されたセグメント板３の斜視図である。図５に示すように、紐部材６は、セグメント板３の挿通孔３ｄの一端３ｅから他端３ｆまで挿通されている。挿通孔３ｄの内径は、図５中、両矢印で示すように、紐部材６が挿通孔３ｄの内壁に対して挿通孔３ｄの延在方向に摺動可能な寸法となっている。
【００３５】
続いて、このように形成されたセグメント板３の手動反転の様子について詳述する。図６は、セグメント板３の反転の様子を説明するための説明図である。図６（ａ）、（ｂ）に示すように、１枚のセグメント板３の両端側を把持して手前に引っ張ると、紐部材６が伸長する。紐部材６は、弾性変形により伸長されると、セグメント板３の表裏の手動反転を可能とする。図６（ｃ）に示すように、セグメント板３を手前に引っ張りながら図６（ｃ）中、矢印で示すように回転させ、セグメント板３の表裏を反転させる。そして、図６（ｄ）に示すように、セグメント板３を引っ張る前の位置まで戻すと、図６（ｅ）に示すように、紐部材６が縮小してセグメント板３が背板２の表面２ａに配置される。紐部材６は、弾性変形により縮小されると、セグメント板３を背板２の表面２ａ側に押さえ付ける向きの付勢力を、セグメント板３に作用させる。
【００３６】
このとき、セグメント板３と背板２は面接触していることから、セグメント板３は、紐部材６による付勢力を受けると、背板２との接触面の摩擦力によって、背板２に対する位置ずれが抑えられる。
【００３７】
また、紐部材６は、挿通孔３ｄの内壁に対して、挿通孔３ｄの延在方向に摺動することで、図６（ｂ）〜（ｄ）に示すように伸縮可能である。例えば、挿通孔３ｄが設けられておらず、２本の紐部材６がそれぞれセグメント板３の両端に個別に固定されている場合に比べ、本実施形態では、紐部材６のうち、挿通孔３ｄの内部に位置する部位も伸縮することとなり伸縮幅が大きい。その結果、セグメント板３を十分に背板２から離隔させることができることから、セグメント板３の反転が容易となる。また、紐部材６を背板２の裏面２ｅ側に長く突出させることで、伸縮幅を確保する構成も考えられるが、この場合、背板２の裏面２ｅ側の外観を著しく損なう。
【００３８】
さらに、本実施形態では、セグメント板３や紐部材６が破損した場合、破損していない他の部材をほとんど取り外すことなく、破損した部材の交換ができ、補修の作業性が向上する。さらに、セグメント板３は、挿通孔３ｄや紐部材６がセグメント板３の側面に位置している。そのため、セグメント板３は、板厚方向に貫通孔が形成されていたり表裏から紐部材６が突出したりする場合に比べて、本来、表示すべきセグメントの形状が維持され、数字などの情報の視認性および美観を向上することが可能となる。
【００３９】
以上、添付図面を参照しながら本考案の好適な実施形態について説明したが、本考案はかかる実施形態に限定されないことは言うまでもない。当業者であれば、実用新案登録請求の範囲に記載された範疇において、各種の変更例または修正例に想到し得ることは明らかであり、それらについても当然に本考案の技術的範囲に属するものと了解される。
【００４０】
例えば、上述した実施形態では、セグメント表示器１は、セグメント板３の表裏の組み合わせによって数字を表示する場合について説明したが、数字以外の情報を表示してもよい。
【００４１】
また、上述した実施形態では、セグメント板３は、セグメント板３の一端３ｇから他端３ｈ（図５参照）まで延在する溝３ｂを有する２枚の板部材３ａを、それぞれの溝３ｂを対向させた状態で張り合わせて形成され、溝３ｂが挿通孔３ｄを構成する場合について説明した。しかし、１枚の板部材に、一端から他端まで貫通する挿通孔を形成して構成されてもよい。
【００４２】
また、上述した実施形態では、セグメント板３を構成する２枚の板部材３ａの両方に溝３ｂが形成される場合について説明したが、２枚の板部材３ａのいずれか一方にのみ溝３ｂを設けて、この溝３ｂに他方の板部材３ａを合わせることで、挿通孔３ｄを形成してもよい。ただし、２枚の板部材３ａの両方に溝３ｂを設けることで、２枚の板部材３ａのいずれか一方にのみ溝３ｂを設ける場合に比べ、板部材３ａそれぞれの板厚を薄くでき、材料コストを低減することが可能となる。
【産業上の利用可能性】
【００４３】
本考案は、セグメントの色の組み合わせによって情報を表示するセグメント表示器に利用することができる。
【符号の説明】
【００４４】
１  セグメント表示器
２  背板
２ａ  表面
２ｅ  裏面
２ｆ  貫通孔
３  セグメント板
３ａ  板部材
３ｂ  溝
３ｄ  挿通孔
３ｅ  一端
３ｆ  他端
３ｇ  一端
３ｈ  他端
６  紐部材
６ａ  被係止部
７  突起部
７ａ  ネジ頭
【図１】
0003192057.tif 000003
【図２】
0003192057.tif 000004
【図３】
0003192057.tif 000005
【図４】
0003192057.tif 000006
【図５】
0003192057.tif 000007
【図６】
0003192057.tif 000008